Podtech/llm-jp-corpus-v4-ja_patent huggingface dataset:
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
ジメチルエーテル（以下ＤＭＥと称す）および炭化水素混合物を含む、貯蔵容器に貯蔵可能な液化ガス組成物であって、
前記炭化水素混合物は、
少なくとも１種の炭素数３の炭化水素、すなわち少なくとも１種のプロパンと、
少なくとも１種の炭素数４の炭化水素、すなわち少なくとも１種のブタンとを含み、
当該組成物の５０重量％超が放出されるまで、前記貯蔵容器から放出される混合ガス中のＤＭＥ濃度が５０重量％以下の一定値幅に維持される、液化ガス組成物。
【請求項２】
請求項１において、放出される混合ガスのＤＭＥ濃度が、５〜３０重量％の範囲内の一定値幅に維持される、液化ガス組成物。
【請求項３】
請求項１または２において、混合ガスの６０重量％超が放出されるまで、ＤＭＥ濃度が一定値幅に維持される、液化ガス組成物。
【請求項４】
請求項１から３のいずれか一項において、放出される前の混合ガスが、ＤＭＥを１０〜３０重量％、プロパンを２０〜５０重量％、およびブタンを５０〜２０重量％含む、液化ガス組成物。
【請求項５】
請求項１から４のいずれか一項において、放出される前の液化ガス組成物の混合液体中のＤＭＥ／ブタンの比が７以下である、液化ガス組成物。
【請求項６】
請求項１から５のいずれか一項において、放出される前の液化ガス組成物の混合液体中のＤＭＥ／プロパンの比が６以下である、液化ガス組成物。
【請求項７】
請求項１から６のいずれか一項において、放出される前の液化ガス組成物の混合液体中のＤＭＥ／プロパンの比およびＤＭＥ／ブタンの比が、それぞれ０．５〜２である、液化ガス組成物。
【請求項８】
請求項１から７のいずれか一項において、放出される前の混合液体が、ＤＭＥを５〜４０重量％、プロパンを５〜９１重量％、およびブタンを９０〜４重量％含む、液化ガス組成物。
【請求項９】
請求項１から８のいずれか一項において、液化ガス組成物が、商用ＤＭＥ、商用ブタン、および商用プロパンからの液化ガスから得られたものである、液化ガス組成物。
【請求項１０】
請求項１から９のいずれか一項において、着火形態に関係なく、空気の存在下での燃焼によって動作する家庭機器の燃料用である液化ガス組成物。
【請求項１１】
請求項１から１０のいずれか一項において、着火形態に関係なく、空気の存在下での燃焼によって動作するボイラ、調理器または暖房装置の燃料用である液化ガス組成物。
【請求項１２】
請求項１から１１のいずれか一項において、液化ガス組成物が、ボトル型またはタンク型の圧力容器に貯蔵されている、液化ガス組成物。
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
機械的食器洗浄のためのリン酸塩不含の洗浄調製物であって、成分として：
ａ）以下からの疎水性に変性されたポリカルボン酸塩ａ１）と親水性に変性されたポリカルボン酸塩ａ２）とからの混合物 １〜２０質量％
ａ１）以下からの疎水性に変性されたポリカルボン酸塩Ｉ ５〜９５質量％
ａ１１）モノエチレン性不飽和Ｃ3〜Ｃ10−モノカルボン酸又はジカルボン酸又はそれらの無水物から成る群からの少なくとも１つのモノマー ２０〜８０モル％、
ａ１２）一般式（Ｉ）
【化１】
2011500878.tif 000001
［式中、Ｒ1、Ｒ2及びＲ3は、互いに無関係に、Ｈ、ＣＨ3又はＣ2Ｈ5を意味し、
Ｒ4は、１〜６個の炭素原子を有する線状、分枝鎖状又は環状の基又は６〜１２個の炭素原子を有する芳香族基を意味する］の少なくとも１つのモノマー ０〜８０モル％
及び
ａ１３）１０個以上の炭素原子を有するオレフィン又はそれらの混合物及び平均して１２〜１００個の炭素原子を有する反応性ポリイソブテンから成る群から選択された、少なくとも１つの更なるモノマー ０〜２０モル％、
ａ２）以下からの親水性に変性されたポリカルボン酸塩ＩＩ ５〜９５質量％
ａ２１）アクリル酸及び／又は前記アクリル酸の水溶性塩 ５０〜９９モル％、
ａ２２）更なる酸性モノマー及び／又はその水溶性塩 ０〜５０モル％、
ａ２３）一般式（ＩＩ）
【化２】
2011500878.tif 000002
［式中、可変部は次の意味を有する：
Ｒ5は、水素又はメチル、
Ｚは、−Ｃ（Ｏ）Ｏ−又は−ＣＨ2Ｏ−
Ｒ6は、同じ又は異なる非分枝鎖状又は分枝鎖状のＣ2−Ｃ4−アルキレン基、
Ｒ7は、非分枝鎖状又は分枝鎖状のＣ1〜Ｃ6−アルキル、
ｎは、３〜５０］の少なくとも１つの非イオン性モノマー ０．１〜２０モル％
その際、ａ１）とａ２）とからの合計は１００質量％であり、
ｂ）錯化剤 ０〜５０質量％、
ｃ）低起泡性非イオン性界面活性剤 ０．１〜２０質量％、
ｄ）漂白剤及び場合によっては漂白活性化剤 ０．１〜３０質量％、
ｅ）更なるビルダー ０〜６０質量％、
ｆ）酵素 ０〜８質量％、
ｇ）１つ以上の更なる添加剤、例えばアニオン性又は両性イオン性の界面活性剤、漂白触媒、アルカリキャリア、腐蝕防止剤、消泡剤、染料、香料、充填剤、有機溶剤及び水 ０〜５０質量％、
その際、成分ａ）〜ｇ）の合計は１００質量％である、
を含有する、機械的食器洗浄のためのリン酸塩不含の洗浄調製物。
【請求項２】
疎水性に変性されたポリカルボン酸塩ａ１）において、モノマーａ１１）が、マレイン酸、無水マレイン酸及びアクリル酸から成る群から選択されており、モノマーａ１２）が、イソブテン、ジイソブテン及びスチレンから成る群から選択されており、且つモノマーａ１３）が、１−ドデセン、１−オクタデセン、Ｃ22−α−オレフィン、Ｃ20〜Ｃ24−α−オレフィンと平均して１２〜１００個のＣ原子を有するポリイソブテンとからの混合物から成る群から選択されていることを特徴とする、請求項１記載のリン酸塩不含の洗浄調製物。
【請求項３】
親水性に変性されたポリカルボン酸塩が、ｐＨ１０でＣａ2+ ＞２０００ｍｇ／Ｌのカルシウム濃度で親水性に変性されたポリマー２５０ｍｇ／Ｌを含有する溶液の曇り点に相当する、カルシウム非感受性を有することを特徴とする、請求項１又は２記載のリン酸塩不含の洗浄調製物。
【請求項４】
錯化剤ｂ）が、ニトリロ三酢酸、ヒドロキシエチルエチレンジアミン三酢酸、エチレンジアミン四酢酸、ジエチレントリアミン五酢酸及びメチルグリシンジ酢酸、グルタミン酸ジ酢酸、イミノジコハク酸、ヒドロキシイミノジコハク酸、エチレンジアミンジコハク酸、アスパラギン酸ジ酢酸並びにそれらの塩から成る群から選択されていることを特徴とする、請求項１から３までのいずれか１項記載のリン酸塩不含の洗浄調製物。
【請求項５】
機械的食器洗浄のための洗浄調製物中でのコビルダーとしての、
ａ１）以下からの疎水性に変性されたポリカルボン酸塩（Ｉ） ５〜９５質量％
ａ１１）モノエチレン性不飽和Ｃ3〜Ｃ10−モノカルボン酸又はジカルボン酸又はそれらの無水物から成る群からの少なくとも１つのモノマー ２０〜８０質量％、
ａ１２）一般式（Ｉ）
【化３】
2011500878.tif 000003
［式中、Ｒ1、Ｒ2及びＲ3は、互いに無関係に、Ｈ、ＣＨ3又はＣ2Ｈ5を意味し、
Ｒ4は、１〜６個の炭素原子を有する線状、分枝鎖状又は環状の基又は６〜１２個の炭素原子を有する芳香族基を意味する］の少なくとも１つのモノマー ０〜８０質量％
及び
ａ１３）１０個以上の炭素原子を有するオレフィン又はそれらの混合物及び平均して１２〜１００個の炭素原子を有する反応性ポリイソブテンから成る群から選択された、少なくとも１つの更なるモノマー ０〜８０質量％、
ａ２）以下からの親水性に変性されたポリカルボン酸塩ＩＩ ５〜９５質量％
ａ２１）アクリル酸及び／又は前記アクリル酸の水溶性塩 ５０〜９９モル％、
ａ２２）更なる酸性モノマー及び／又はその水溶性塩 ０〜５０モル％、
ａ２３）一般式（ＩＩ）
【化４】
2011500878.tif 000004
［式中、可変部は次の意味を有する：
Ｒ5は、水素又はメチル、
Ｚは、−Ｃ（Ｏ）Ｏ−又は−ＣＨ2Ｏ−、
Ｒ6は、同じ又は異なる非分枝鎖状又は分枝鎖状のＣ2−Ｃ4−アルキレン基、
Ｒ7は、非分枝鎖状又は分枝鎖状のＣ1〜Ｃ6−アルキル、
ｎは、３〜５０］の少なくとも１つの非イオン性モノマー ０．１〜２０モル％
その際、ａ１）とａ２）とからの合計は１００質量％である、
からの疎水性に変性されたポリカルボン酸塩と親水性に変性されたポリカルボン酸塩とからの混合物の使用。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
圧力感知接着特性を有する実質的連続高分子相と、
発泡剤により生成された複数の孔であって、当該孔が前記実質的連続高分子相内に配置される隔絶溝であり、流体がその複数の孔の少なくとも一部を介して第一の側から第二の側に実質的に直接に移動可能なように配設された複数の孔と、
を備え、
前記複数の孔は、低温流れに対して実質的に耐性を有することを特徴とする圧力感知接着剤。
【請求項２】
前記複数の孔の各孔は、ミクロ多孔質、マクロ多孔質、及びスーパー多孔質のうちのいずれかであることを特徴とする請求項１に記載の圧力感知接着剤。
【請求項３】
前記孔は、実質的に均一であることを特徴とする請求項１に記載の圧力感知接着剤。
【請求項４】
オリゴマー、粘着樹脂、可塑化剤、充填剤、硬化剤、触媒、及びそれらの組み合わせからなるグループから選択される添加物を更に備えることを特徴とする請求項１に記載の圧力感知接着剤。
【請求項５】
前記実質的連続高分子相は、ポリアクリレート、ポリウレタン、ポリブタジエン、ポリイソプレン、遮断重合体、ポリエステル、シリコン重合体ポリ（アルキレンオキシド）、ポリイソブチレン、及びそれらの組み合わせからなるグループから選択されることを特徴とする請求項１に記載の圧力感知接着剤。
【請求項６】
前記連続高分子相は、ウレタンアクリレートオリゴマー、ポリブタジエンアクリレートオリゴマー、ポリエチレングリコールアクリレートオリゴマー、ポリイソプレンアクリレートオリゴマー、ポリエステルアクリレートオリゴマー、及びそれらの組み合わせからなるグループから選択されることを特徴とする請求項１に記載の圧力感知接着剤。
【請求項７】
前記発泡剤は、アゾジカルボンアミド、スルホニルヒドラジド、ｐ−トルエンセミカルバジド、テトラゾール、置換アゾニトリル化合物、ベンゾオキサジン、炭酸塩、ヒドラジン誘導体、及びそれらの組み合わせからなるグループから選択されることを特徴とする請求項１に記載の圧力感知接着剤。
【請求項８】
前記発泡剤は、揮発性液体であることを特徴とする請求項１に記載の圧力感知接着剤。
【請求項９】
前記硬化剤は、イソシアネート、アジリジン、二官能価アクリレート、多官能価のアクリレート、有機金属化合物、アリル化合物、ビニル化合物、及びそれらの組み合わせからなるグループから選択されることを特徴とする請求項４に記載の圧力感知接着剤。
【請求項１０】
前記触媒は、光開始剤、チタン化合物、過酸化水素、アゾ化合物、すず化合物、白金化合物、及びそれらの組み合わせからなるグループから選択されることを特徴とする請求項４に記載の圧力感知接着剤。
【請求項１１】
多孔質圧力感知接着剤テープを形成する方法であって、
孔形成材料を含み、圧力感知接着特性を有する接着剤を形成するための溶液を準備し、
前記溶液を含むフィルムを基体に射出し、
前記フィルム上にライナーを積層し、その後、
前記接着剤をエネルギー源に晒して前記接着剤を通して実質的に直接延びる隔絶溝として孔を形成し、同時に前記孔を硬化することにより孔形成中に前記圧力感知接着剤テープを形成することを特徴とする方法。
【請求項１２】
前記エネルギー源は、熱エネルギー源、紫外線エネルギー源、電子ビームエネルギー源、及びそれらの組み合わせからなるグループから選択されることを特徴とする請求項１１に記載の方法。
【請求項１３】
更に、フレキシブルなウェブ上に、前記圧力感知接着剤テープを塗布して硬化させることを特徴とする請求項１１に記載の方法。
【請求項１４】
前記テープは、流体がその複数の孔の少なくとも一部を介して第一の側から第二の側に移動可能なように配置され配設されることを特徴とする請求項１１に記載の方法。
【請求項１５】
更に、前記圧力感知接着剤テープを塗布して硬化させることを特徴とする請求項１１に記載の方法。
【請求項１６】
更に、イオン導電性ヒドロゲルを、前記複数の孔の１つ以上に与えることを特徴とする請求項１５に記載の方法。
【請求項１７】
更に、分子刻印重合体を、前記複数の孔の１つ以上に与えることを特徴とする請求項１５に記載の方法。
【請求項１８】
更に、試液を、前記複数の孔の１つ以上に与えることを特徴とする請求項１５に記載の方法。
【請求項１９】
更に、電気的導電性材料を、前記複数の孔の１つ以上に与えることを特徴とする請求項１５に記載の方法。
【請求項２０】
更に、消泡剤、界面活性剤、均染剤、及びそれらの組み合わせからなるグループから選択される接着剤に構成物質を加えることにより、前記複数の孔を修正することを特徴とする請求項１５に記載の方法。
【請求項２１】
前記接着剤は、親水性構成物質を含むことを特徴とする請求項１１に記載の方法。
【請求項２２】
前記多孔質圧力感知接着剤テープは、医療診断テスト機器内に配設されることを特徴とする請求項１１に記載の方法。
【請求項２３】
前記フィルムは、実質的に粘着性に欠けることを特徴とする請求項１１に記載の方法。
【請求項２４】
更に、傷の上に前記圧力感知接着剤テープを置くことにより、前記傷を処置することを特徴とする請求項１１に記載の方法。
【請求項２５】
前記多孔質圧力感知接着剤テープは、垂直フロー機器内に配設されることを特徴とする請求項１１に記載の方法。
【請求項２６】
前記多孔質圧力感知接着剤テープは、各フィルターの中間層に配設されることを特徴とする請求項１１に記載の方法。
【請求項２７】
更に、膜を前記多孔質圧力感知接着剤テープに結合させることを特徴とする請求項１１に記載の方法。
【請求項２８】
他の流体が前記膜内を流れることを防止しつつ、気体が排気されることを特徴とする請求項２７に記載の方法。
【請求項２９】
更に、薬剤容器と皮膚の間に前記多孔質圧力感知接着剤テープを設けることを特徴とする請求項１１に記載の方法。
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
肺吸入により患者に投与される医薬組成物であって、
ジケトピペラジンと結合した活性薬剤を含有し、
該活性薬剤が患者体内で分解されやすく該分解によりその有効性が減じられる薬剤である、医薬組成物。
【請求項２】
前記分解が静脈血液循環中、末梢組織中、胃腸系中、または肝臓中で起こる、請求項１に記載の医薬組成物。
【請求項３】
前記ジケトピペラジンが２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るその塩である、請求項１に記載の医薬組成物。
【請求項４】
前記医薬組成物が吸入可能な乾燥粉末剤形である、請求項１に記載の医薬組成物。
【請求項５】
前記吸入可能な乾燥粉末剤形が、さらに医薬的に許容し得る担体または賦形剤を含んでなる、請求項４に記載の医薬組成物。
【請求項６】
前記吸入可能な乾燥粉末剤形が、乾燥粉末吸入システムを用いた肺吸入によって前記患者に提供される、請求項４に記載の医薬組成物。
【請求項７】
前記活性薬剤がタンパク質、ペプチド、またはそれらの類似物である、請求項１に記載の医薬組成物。
【請求項８】
前記活性薬剤が内分泌性ホルモンまたはその類似物である、請求項１に記載の医薬組成物。
【請求項９】
前記内分泌性ホルモンが糖尿病、高血糖、および／または肥満に関係するホルモンである、請求項８に記載の医薬組成物。
【請求項１０】
前記糖尿病が２型真性糖尿病である、請求項９に記載の医薬組成物。
【請求項１１】
肺吸入により患者に投与される医薬組成物であって、
ジケトピペラジンと結合した不安定な活性薬剤を含有し、
該患者が該不安定な活性薬剤によって治療されている患者または治療可能な病状を有する患者である、医薬組成物。
【請求項１２】
前記ジケトピペラジンが２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るそれらの塩である、請求項１１に記載の医薬組成物。
【請求項１３】
前記医薬組成物が吸入可能な乾燥粉末剤形である、請求項１１に記載の医薬組成物。
【請求項１４】
前記吸入可能な乾燥粉末剤形が、さらに医薬的に許容し得る担体または賦形剤を含んでなる、請求項１３に記載の医薬組成物。
【請求項１５】
前記活性薬剤がペプチドまたはタンパク質、またはそれらの類似物である、請求項１１に記載の医薬組成物。
【請求項１６】
前記活性薬剤が内分泌性ホルモンまたはその類似物である、請求項１１に記載の医薬組成物。
【請求項１７】
前記内分泌性ホルモンが糖尿病、高血糖、および／または肥満に関係するホルモンである、請求項１６に記載の医薬組成物。
【請求項１８】
前記糖尿病が２型真性糖尿病である、請求項１７に記載の医薬組成物。
【請求項１９】
前記組成物を前記患者に投与するステップが、薬包を含んでなる乾燥粉末吸入器を用いた前記組成物の肺投与を含んでなる、請求項１１に記載の医薬組成物。
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
気道炎症及び／又は気道組織リモデリングに関連する症状を治療又は予防するための医薬の製造における、ファイブリン−１の発現及び／又は活性を阻害することができる物質の使用。
【請求項２】
前記物質がファイブリン−１ポリペプチドの活性のアンタゴニストであるか、またはファイブリン−１の発現を阻害または抑制することができる分子である請求項１に記載の使用。
【請求項３】
前記物質がファイブリン−１の発現を阻害または抑制することができる分子であり、発現の阻害がファイブリン−１ヌクレオチド配列のレベルで生じる、請求項２に記載の使用。
【請求項４】
前記物質が、ファイブリン−１又はその１種以上のアイソフォームをコードするヌクレオチド配列に特異的に結合することができるアンチセンス構造体である、請求項３に記載の使用。
【請求項５】
ファイブリン−１の発現及び／又は活性の阻害が、１以上の細胞及び／又はそのような細胞に関連する細胞外マトリックスにおいて生じる、請求項１〜４のいずれか１項に記載の使用。
【請求項６】
喘息に罹患しているか、喘息に罹患する素因を有している患者の、喘息を治療又は予防するための医薬の製造における、ファイブリン−１の発現及び／又は活性を阻害することができる物質の使用。
【請求項７】
気道組織リモデリングの発生を調節するための医薬の製造における、気道組織におけるファイブリン−１レベルを調節することができる物質の使用であって、ここで前記組織におけるファイブリン−１レベルを正常な内因性レベルに対して正常化することによって組織リモデリングの発生を減少するか、組織リモデリングを阻害する、前記使用。
【請求項８】
前記物質がファイブリン−１の発現又は産生を減少させることができる請求項７に記載の使用。
【請求項９】
前記物質が、ファイブリン−１、その誘導体、変異体又は同族体又はファイブリン−１の発現又は産生を増加させることができる物質である、請求項７に記載の使用。
【請求項１０】
気道炎症及び／又は気道組織リモデリングに関連する症状を治療又は予防するための薬剤の製造における、気道組織におけるファイブリン−１のレベルを調節することができる物質の使用。
【請求項１１】
前記ファイブリン−１がアイソフォームのファイブリン−１Ｃである、請求項１〜１０のいずれか１項に記載の使用。
【請求項１２】
気道炎症及び／又は気道組織リモデリングに関連する症状を治療又は予防するための医薬組成物であって、気道組織におけるファイブリン−１の発現及び／又は活性を阻害することができる少なくとも１種の物質を、所望により１種以上の薬学的に許容し得るアジュバント、担体及び／又は希釈剤と共に含む組成物。
【請求項１３】
気道炎症及び／又は気道組織リモデリングに関連する症状に罹患しているか、前記症状に罹患する素因を有する患者の組織における、異常、過度又は望ましくない創傷治癒を阻害する為の医薬の製造における、前記患者にファイブリン−１の発現及び／又は活性を阻害することができる物質の使用。
【請求項１４】
前記症状が、喘息、慢性閉塞性肺疾患（ＣＯＰＤ）、及び特発性肺線維症、嚢胞性繊維症及びリンパ管平滑筋腫（ＬＡＭ）などの肺線維症から選択される、請求項1〜１１または１３のいずれか１項に記載の使用または請求項１２に記載の組成物の使用。
【請求項１５】
前記創傷治癒の阻害が、１以上の異常細胞におけるファイブリン−１の発現及び／又は活性を阻害することを含む、請求項１３又は１４に記載の使用。
【請求項１６】
前記細胞が気道平滑筋細胞である、請求項１５に記載の使用。
【請求項１７】
前記創傷治癒の阻害が、細胞外マトリックスにおけるファイブリン−１の発現及び／又は活性を阻害することを含む、請求項１３〜１６のいずれか１項に記載の使用。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2011500841.tif 000001
（式中、ｎは１〜１０の範囲の数を含み、Ｒ１はＣ２〜Ｃ６アルキル基）の結晶性カンプトテシン水和物。
【請求項２】
Ｒ１がエチルである、請求項１に記載の結晶性カンプトテシン水和物。
【請求項３】
該結晶性カンプトテシン水和物の融点が約２４０℃〜約２４３℃である、請求項２に記載の結晶性カンプトテシン水和物。
【請求項４】
ｎが１〜３の範囲の数を含む、請求項１に記載の結晶性カンプトテシン水和物。
【請求項５】
患者において癌又は悪性腫瘍を治療する方法であって、有効量の請求項１に記載の結晶性カンプトテシン水和物を含む組成物を投与することを含み、前記癌又は前記悪性腫瘍が前記組成物に応答性である、患者において癌又は悪性腫瘍を治療する方法。
【請求項６】
前記癌が、白血病、黒色腫、肝臓癌、乳癌、卵巣癌、前立腺癌、胃癌、膀胱癌、線維形成性小円形細胞腫瘍（ＤＳＲＣＴ）、膵臓癌、肺癌、腎臓癌、結腸癌又は中枢神経系の癌である、請求項５に記載の方法。
【請求項７】
Ｒ１がエチルである、請求項５又は６に記載の方法.
【請求項８】
該結晶性カンプトテシン水和物を経口投与する、請求項５に記載の方法。
【請求項９】
有効量の請求項１に記載の結晶性カンプトテシン水和物と薬学的に許容可能な担体とを含む医薬組成物。
【請求項１０】
該担体が脂質又は脂質様乳化剤である、請求項９に記載の医薬組成物。
【請求項１１】
最大耐量として２０００ｍｇ／ｋｇを使用する場合、前記結晶性カンプトテシン水和物を、腫瘍異種移植片を有するヌードマウスに投与することにより求められる、前記結晶性カンプトテシン水和物の治療指数が２〜５００である、請求項１に記載の結晶性カンプトテシン水和物。
【請求項１２】
（０．１０〜０．５０）×（０．０１〜０．１０）×（０．０１〜０．０５）ｍｍ３の大きさ、及び１００Å３〜５０００Å３の体積の単斜晶系を有する、請求項１に記載の結晶性カンプトテシン水和物。
【請求項１３】
結晶性カンプトテシン２０−プロピオネート水和物である、請求項１２に記載の結晶性カンプトテシン水和物。
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
活性化プロテインCに結合し、抗凝血活性を阻害するが、不活性化プロテインCには結合しない、または不活性化プロテインCの活性化を阻害しない、モノクロナール抗体。
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
高血糖および／または糖尿病の治療のための、吸入可能な乾燥粉末の医薬組成物であって、
治療上有効量のＧＬＰ−１分子を含有し、治療が必要な患者に摂食時に投与され、
該投与が吐気、嘔吐、および多量発汗からなる群から選ばれる少なくとも一つの副作用をもたらさない、医薬組成物。
【請求項２】
前記患者が２型真性糖尿病を患う哺乳類である、請求項１に記載の医薬組成物。
【請求項３】
約０．５ｍｇ〜約３ｍｇのＧＬＰ−１を含んでなる、請求項１に記載の医薬組成物。
【請求項４】
ＤＰＰ−ＩＶ抑制剤をさらに含んでなる、請求項１に記載の医薬組成物。
【請求項５】
ジケトピペラジンを含んでなる、請求項１に記載の医薬組成物。
【請求項６】
前記ジケトピペラジンが２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るその塩である、請求項５に記載の医薬組成物。
【請求項７】
前記ＧＬＰ−１分子が、天然ＧＬＰ−１、ＧＬＰ−１代謝体、ＧＬＰ−１類似物、ＧＬＰ−１誘導体、長時間作用型ＧＬＰ−１類似物、ＧＬＰ−１模倣剤、エキセンディン、ＧＬＰ−１ペプチド類似物、または生合成ＧＬＰ−１類似物、またはその組合せからなる群から選ばれる、請求項１に記載の医薬組成物。
【請求項８】
治療上有効量のインスリン分子が患者に投与される、請求項１に記載の医薬組成物。
【請求項９】
インスリン分子と共製剤されたＧＬＰ−１分子を含んでなる、請求項８に記載の医薬組成物。
【請求項１０】
前記インスリン分子が吸入可能な乾燥粉末剤形として別に投与される、請求項８に記載の医薬組成物。
【請求項１１】
胃内容物排出の抑制を欠く、請求項１に記載の医薬組成物。
【請求項１２】
ａ）乾燥粉末吸入器にはめ込み操作できるように構成され、ＧＬＰ−１分子および式：２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るその塩を含む乾燥粉末剤形を含む薬包；および
ｂ）該薬包を受け入れまたは保持してしっかりとはめ込むように構成された吸入装置；
を含んでなる、糖尿病、および／または高血糖の治療のためのキット。
【請求項１３】
高血糖を患う２型糖尿病患者のグルコース濃度を低減するための、吸入可能な乾燥粉末の医薬組成物であって、
治療上有効量のＧＬＰ−１分子およびジケトピペラジンまたは医薬的に許容し得るその塩を含有し、
肺投与される、医薬組成物。
【請求項１４】
前記患者への投与の後約４時間で、グルコース濃度が約０．１ｍｍｏｌ／Ｌ〜約３ｍｍｏｌ／Ｌ減少する、請求項１３に記載の医薬組成物。
【請求項１５】
摂食時、食前、摂食時、食後、または絶食時に２型糖尿病患者に投与される、請求項１３に記載の医薬組成物。
【請求項１６】
約０．０２ｍｇ〜約２ｍｇのＧＬＰ−１を含んでなる、請求項１３に記載の医薬組成物。
【請求項１７】
ＤＰＰ−ＩＶ抑制剤をさらに含んでなる、請求項１３に記載の医薬組成物。
【請求項１８】
ジケトピペラジンを含んでなる、請求項１３に記載の医薬組成物。
【請求項１９】
前記ジケトピペラジンが２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るその塩である、請求項１８に記載の医薬組成物。
【請求項２０】
インスリン分子と共製剤されたＧＬＰ−１分子を含んでなる、請求項１３に記載の医薬組成物。
【請求項２１】
インスリンが吸入可能な乾燥粉末剤形として投与される、請求項１９に記載の医薬組成物。
【請求項２２】
前記インスリンが即効性または長時間作用型インスリンである、請求項２１に記載の医薬組成物。
【請求項２３】
長時間作用型ＣＬＰ−１類似物を含む剤形がさらに投与される、請求項１３に記載の医薬組成物。
【請求項２４】
胃内容物排出の抑制を欠く、請求項１３に記載の医薬組成物。
【請求項２５】
ａ）乾燥粉末吸入器にはめ込み操作できるように構成され、ＧＬＰ−１分子および式：２，５−ジケト−３，６−ジ（４−Ｘ−アミノブチル）ピペラジン（ここで、Ｘはスクニシル、グルタリル、マレイル、およびフマリルからなる群から選択される）または医薬的に許容し得るその塩を含む乾燥粉末剤形を含む薬包；および
ｂ）該薬包を受け入れまたは保持してしっかりとはめ込むように構成された吸入装置；
を含んでなる、肺の薬物送達システムを含んでなる２型糖尿病患者の高血糖の治療のためのキット。
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ＰＥＧ化複合体であって、
ａ）ｃＡＭＰ依存性タンパク質キナーゼの調節サブユニット由来のＤＤＤ（二量体化／ドッキングドメイン）配列に付着した治療薬；および
ｂ）Ａキナーゼアンカリングタンパク質（ＡＫＡＰ）由来のＡＤ（アンカードメイン）配列に付着したＰＥＧ部分を含み、
２つのＤＤＤ配列が１つのＡＤ配列に結合してＰＥＧ化複合体を形成し、前記ＤＤＤ配列とＡＤ配列の間のジスルフィド結合をさらに含む、ＰＥＧ化複合体。
【請求項２】
前記ＤＤＤ配列が配列番号２を含む、請求項１に記載の複合体。
【請求項３】
前記ＰＥＧ部分が、一方の端でメトキシ基によりキャッピングされている、請求項１に記載の複合体。
【請求項４】
前記治療薬が、酵素、サイトカイン、ケモカイン、成長因子、ペプチド、抗体、および抗体断片からなる群より選択される、請求項１に記載の複合体。
【請求項５】
前記治療薬が、インターフェロン−α、インターフェロン−β、インターフェロン−γ、ＭＩＦ、ＨＭＧＢ−Ｉ（高移動度グループボックスタンパク質１）、ＴＮＦ−α、ＩＬ−Ｉ、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、ＩＬ−１３、ＩＬ−１５、ＩＬ−１６、ＩＬ−１７、ＩＬ−１８、ＩＬ−１９、ＩＬ−２３、ＩＬ−２４、ＣＣＬ１９、ＣＣＬ２１、ＭＣＰ−１、ＲＡＮＴＥＳ、ＭＩＰ−ＩＡ、ＭＩＰ−ＩＢ、ＥＮＡ−７８、ＭＣＰ−Ｉ、ＩＰ−１０、Ｇｒｏ−β、エオタキシン、Ｇ−ＣＳＦ、ＧＭ−ＣＳＦ、ＳＣＦ、ＰＤＧＦ、ＭＳＦ、Ｆｌｔ−３リガンド、エリスロポエチン、トロンボポエチン、ｈＧＨ、ＣＮＴＦ、レプチン、オンコスタチンＭ、ＶＥＧＦ、ＥＧＦ、ＦＧＦ、ＰｌＧＦ、インスリン、ｈＧＨ、カルシトニン、第ＶＩＩＩ因子、ＩＧＦ、ソマトスタチン、組織プラスミノーゲンアクチベーター、およびＬＩＦからなる群より選択される、請求項４に記載の複合体。
【請求項６】
ＡＤ配列に付着した前記ＰＥＧ部分が、ＩＭＰ３５０、ＩＭＰ３６０、ＩＭＰ３６２、ＩＭＰ４１３、またはＩＭＰ４５７を含む、請求項１に記載の複合体。
【請求項７】
前記治療薬が、インターフェロン（ＩＦＮ）−α２ｂ、Ｇ−ＣＳＦ、またはエリスロポエチンである、請求項１に記載の複合体。
【請求項８】
ＤＤＤ配列に付着した前記治療薬が、融合タンパク質である、請求項１に記載の複合体。
【請求項９】
前記ＰＥＧ化複合体の血清からのクリアランス速度が、ＰＥＧ化されていない治療薬のクリアランス速度よりも少なくとも１桁遅い、請求項１に記載の複合体。
【請求項１０】
ＰＥＧ化複合体であって、
ａ）ｃＡＭＰ依存性タンパク質キナーゼの調節サブユニット由来のＡＤ配列に付着した治療薬；および
ｂ）Ａキナーゼアンカリングタンパク質（ＡＫＡＰ）由来のＤＤＤ配列に付着したＰＥＧ部分を含み、
２つのＤＤＤ配列が１つのＡＤ配列に結合してＰＥＧ化複合体を形成する、ＰＥＧ化複合体。
【請求項１１】
前記ＰＥＧ化複合体の血清からのクリアランス速度が、ＰＥＧ化されていない治療薬のクリアランス速度よりも少なくとも１桁遅い、請求項１０に記載の方法。
【請求項１２】
治療薬をＰＥＧ化する方法であって、
ａ）治療薬をｃＡＭＰ依存性タンパク質キナーゼの調節サブユニット由来のＤＤＤ配列に付着させる工程；
ｂ）ＰＥＧ部分をＡキナーゼアンカリングタンパク質（ＡＫＡＰ）由来のＡＤ配列に付着させる工程；ならびに、
ｃ）前記ＤＤＤ配列を前記ＡＤ配列に結合させて、２つの治療薬−ＤＤＤ配列および１つのＰＥＧ−ＡＤ配列を含むＰＥＧ化複合体を形成させる工程
を含む方法。
【請求項１３】
前記治療薬が、酵素、サイトカイン、ケモカイン、成長因子、ペプチド、抗体、および抗体断片からなる群より選択される、請求項１２に記載の方法。
【請求項１４】
前記ＰＥＧ化複合体の血清からのクリアランス速度が、ＰＥＧ化されていない治療薬のクリアランス速度よりも少なくとも１桁遅い、請求項１２に記載の方法。
【請求項１５】
治療薬をＰＥＧ化する方法であって、
ａ）治療薬をＡキナーゼアンカリングタンパク質（ＡＫＡＰ）由来のＡＤ配列に付着させる工程；
ｂ）ＰＥＧ部分をｃＡＭＰ依存性タンパク質キナーゼの調節サブユニット由来のＤＤＤ配列に付着させる工程；ならびに
ｃ）前記ＤＤＤ配列を前記ＡＤ配列に結合させて、２つの治療薬−ＤＤＤ配列および１つのＰＥＧ−ＡＤ配列を含むＰＥＧ化複合体を形成させる工程
を含む方法。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
押出可能な組成物であって、非フッ素化の溶融加工可能なホストポリマーと、前記押出可能な組成物の総重量を基準にして約２５重量百万分率〜約５０重量％のフルオロポリマーとを含み、前記フルオロポリマーが、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になる、押出可能な組成物。
【請求項２】
押出可能な組成物であって、非フッ素化の溶融加工可能なホストポリマーと、前記押出可能な組成物の総重量を基準にして約２５重量百万分率〜約５０重量％のフルオロポリマーであって、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になるフルオロポリマーと、界面剤とを含み、界面剤とフルオロポリマーとの重量比が０．１〜３．０の範囲にわたる、押出可能な組成物。
【請求項３】
非フッ素化の溶融可能なポリマーの押出特性を改善するための方法であって、前記ポリマーに、前記ポリマーの総重量を基準にして約２５重量百万分率〜約５０重量％のフルオロポリマーを組み込む工程を含み、前記フルオロポリマーが、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になる、方法。
【手続補正２】
【補正対象書類名】明細書
【補正対象項目名】００４９
【補正方法】変更
【補正の内容】
【００４９】
試験結果は、本発明に係る溶融加工可能なポリマー用加工助剤として生成され、用いられるフルオロポリマーが、極性ポリマーおよび非極性ポリマーの両方の押出において優れた性能を与える傾向があることを示している。
なお、本発明は、特許請求の範囲を含め、以下の発明を包含する。
１．押出可能な組成物であって、非フッ素化の溶融加工可能なホストポリマーと、前記押出可能な組成物の総重量を基準にして約２５重量百万分率〜約５０重量％のフルオロポリマーとを含み、前記フルオロポリマーが、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になる、押出可能な組成物。
２．押出可能な組成物であって、非フッ素化の溶融加工可能なホストポリマーと、前記押出可能な組成物の総重量を基準にして約２５重量百万分率〜約５０重量％のフルオロポリマーであって、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になるフルオロポリマーと、界面剤とを含み、界面剤とフルオロポリマーとの重量比が０．１〜３．０の範囲にわたる、押出可能な組成物。
３．ＴＦＥが、前記フルオロポリマーの総重量を基準にして少なくとも７０モルパーセントのレベルで前記フルオロポリマー中に存在し、ＴＦＰが、前記フルオロポリマーの総重量を基準にして少なくとも１５モルパーセントのレベルでフルオロポリマー中に存在し、かつ界面剤とフルオロポリマーとの重量比が０．２〜２．０である、２に記載の組成物。
４．非フッ素化の溶融可能なポリマーの押出特性を改善するための方法であって、前記ポリマーに、前記ポリマーの総重量を基準にして約２５重量百万分率〜約５０重量％のフルオロポリマーを組み込む工程を含み、前記フルオロポリマーが、以下のモノマー：
Ａ）前記フルオロポリマーの総重量を基準にして４５〜９５モルパーセントのテトラフルオロエチレン（ＴＦＥ）；および
Ｂ）前記フルオロポリマーの総重量を基準にして５〜５５モルパーセントの３，３，３−トリフルオロプロピレン（ＴＦＰ）
の共重合単位から実質的になる、方法。
５．ＴＦＥが、前記フルオロポリマーの総重量を基準にして少なくとも７０モルパーセントのレベルで前記フルオロポリマー中に存在し、かつＴＦＰが、前記フルオロポリマーの総重量を基準にして少なくとも１５モルパーセントのレベルで前記フルオロポリマー中に存在する、１または４に記載の方法。
６．前記溶融加工可能なポリマー中の前記フルオロポリマーの重量平均粒径が、２ミクロンより大きいが、１０ミクロンより小さい、１、２または４のいずれか一項に記載の方法。
７．前記溶融加工可能なポリマー中の前記フルオロポリマーの重量平均粒径が、２ミクロンより大きいが、１０ミクロンより小さい、３または５に記載の方法。
８．界面剤を前記ポリマーに組み込む工程をさらに含み、界面剤とフルオロポリマーとの重量比が０．１〜３．０の範囲にわたる、４に記載の方法。
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
少なくとも１つのポリマー層を含む強化シリコーン樹脂フィルムであって、前記ポリマー層のうちの少なくとも１つは少なくとも１つのシリコーン樹脂の硬化生成物を含み、前記ポリマー層のうちの少なくとも１つは酸化アルミニウムナノ繊維を含み、前記ナノ繊維はγ−ＡｌＯ（ＯＨ）およびγ−Ａｌ２Ｏ３から選択される少なくとも１つの酸化アルミニウムを含む、強化シリコーン樹脂フィルム。
【請求項２】
前記ポリマー層の各々が０．０１〜１０００μｍの厚さを有する、請求項１に記載の強化シリコーン樹脂フィルム。
【請求項３】
前記フィルムが１〜１０のポリマー層を有し、好ましくは前記フィルムが１つのポリマー層を有する、請求項１または請求項２に記載の強化シリコーン樹脂フィルム。
【請求項４】
前記酸化アルミニウムナノ繊維が未処理のものであるか、または処理されたものである、請求項１から請求項３のいずれか１項に記載の強化シリコーン樹脂フィルム。
【請求項５】
前記酸化アルミニウムナノ繊維が０〜１００％（重量／重量）のγ−ＡｌＯ（ＯＨ）および１００〜０％（重量／重量）のγ−Ａｌ２Ｏ３を含み、好ましくは前記酸化アルミニウムナノ繊維が３０〜９９％（重量／重量）のγ−ＡｌＯ（ＯＨ）および７０〜１％（重量／重量）のγ−Ａｌ２Ｏ３を含む、請求項１から請求項４のいずれか１項に記載の強化シリコーン樹脂フィルム。
【請求項６】
前記ポリマー層の中の前記酸化アルミニウムナノ繊維の濃度が、前記ポリマー層の総重量に基づいて０．００１〜５０％（重量／重量）である、請求項１から請求項５のいずれか１項に記載の強化シリコーン樹脂フィルム。
【請求項７】
前記ポリマー層のうちの少なくとも１つが繊維強化材を含む、請求項１から請求項６のいずれか１項に記載の強化シリコーン樹脂フィルム。
【請求項８】
前記シリコーン樹脂が、式：
（ａ）（Ｒ１Ｒ２２ＳｉＯ１／２）ｗ（Ｒ２２ＳｉＯ２／２）ｘ（Ｒ２ＳｉＯ３／２）ｙ（ＳｉＯ４／２）ｚ（Ｉ）（式中、各Ｒ１は独立にＣ１〜Ｃ１０のヒドロカルビルまたはＣ１〜Ｃ１０のハロゲン置換ヒドロカルビルであり、これらはともに脂肪族不飽和を含まず、各Ｒ２は独立にＲ１またはアルケニルであり、ｗは０〜０．９５であり、ｘは０〜０．９５であり、ｙは０〜１であり、ｚは０〜０．９であり、ｙ＋ｚは０．１〜１であり、かつｗ＋ｘ＋ｙ＋ｚ＝１であるが、ただし前記シリコーン樹脂は１分子あたり平均少なくとも２つのケイ素に結合したアルケニル基を有する）、
（ｂ）（Ｒ１Ｒ３２ＳｉＯ１／２）ｗ（Ｒ３２ＳｉＯ２／２）ｘ（Ｒ３ＳｉＯ３／２）ｙ（ＳｉＯ４／２）ｚ（ＩＩ）（式中、各Ｒ１は独立にＣ１〜Ｃ１０のヒドロカルビルまたはＣ１〜Ｃ１０のハロゲン置換ヒドロカルビルであり、これらはともに脂肪族不飽和を含まず、各Ｒ３は独立にＲ１または−Ｈであり、ｗは０〜０．９５であり、ｘは０〜０．９５であり、ｙは０〜１であり、ｚは０〜０．９であり、ｙ＋ｚは０．１〜１であり、かつｗ＋ｘ＋ｙ＋ｚ＝１であるが、ただし前記シリコーン樹脂は１分子あたり平均少なくとも２つのケイ素に結合した水素原子を有する）、
（ｃ）（Ｒ４Ｒ５２ＳｉＯ１／２）ｗ（Ｒ５２ＳｉＯ２／２）ｘ（Ｒ５ＳｉＯ３／２）ｙ（ＳｉＯ４／２）ｚ（ＩＩＩ）（式中、各Ｒ４は独立にＣ１〜Ｃ１０のヒドロカルビルまたはＣ１〜Ｃ１０のハロゲン置換ヒドロカルビルであり、各Ｒ５は独立にＲ４、−Ｈ、−ＯＨ、または加水分解性基であり、ｗは０〜０．９５であり、ｘは０〜０．９５であり、ｙは０〜１であり、ｚは０〜０．９であり、ｙ＋ｚは０．１〜１であり、かつｗ＋ｘ＋ｙ＋ｚ＝１であるが、ただし前記シリコーン樹脂は１分子あたり平均少なくとも２個のケイ素に結合した水素原子、ヒドロキシ基、または加水分解性基を有する）、
（ｄ）（Ｒ７Ｒ８ＳｉＯ１／２）ｗ（Ｒ８２ＳｉＯ２／２）ｘ（Ｒ８ＳｉＯ３／２）ｙ（ＳｉＯ４／２）ｚ（ＩＶ）（式中、各Ｒ７は独立にＣ１〜Ｃ１０のヒドロカルビル、Ｃ１〜Ｃ１０のハロゲン置換ヒドロカルビル、または−ＯＲ６であり、Ｒ６はＣ１〜Ｃ８のヒドロカルビルまたはＣ１〜Ｃ８のハロゲン置換ヒドロカルビルであり、各Ｒ８は独立にＲ１、−Ｈ、または放射線感受性基であり、ｗは０〜０．９５であり、ｘは０〜０．９５であり、ｙは０〜１であり、ｚは０〜０．９であり、ｙ＋ｚは０．１〜１であり、かつｗ＋ｘ＋ｙ＋ｚ＝１であるが、ただし前記シリコーン樹脂は１分子あたり平均少なくとも２個のケイ素に結合した放射線感受性基を有する）、あるいは
（ｅ）（Ｒ１Ｒ１１２ＳｉＯ１／２）ｗ（Ｒ１１２ＳｉＯ２／２）ｘ（Ｒ１１ＳｉＯ３／２）ｙ（ＳｉＯ４／２）ｚ（Ｖ）（式中、各Ｒ１は独立にＣ１〜Ｃ１０のヒドロカルビルまたはＣ１〜Ｃ１０のハロゲン置換ヒドロカルビルであり、これらはともに脂肪族不飽和を含まず、各Ｒ１１は独立にＲ１、アルケニル、アルキニル、アクリルオキシアルキル、または置換アクリルオキシアルキルであり、ｗは０〜０．９５であり、ｘは０〜０．９５であり、ｙは０〜１であり、ｚは０〜０．９であり、ｙ＋ｚは０．１〜１であり、かつｗ＋ｘ＋ｙ＋ｚ＝１である）
を有する、請求項１から請求項７のいずれか１項に記載の強化シリコーン樹脂フィルム。
【請求項９】
ナノ繊維充填シリコーン組成物であって、
（Ａ）シリコーン樹脂を含む硬化性シリコーン組成物と、
（Ｂ）酸化アルミニウムナノ繊維であって、前記ナノ繊維はγ−ＡｌＯ（ＯＨ）およびγ−Ａｌ２Ｏ３から選択される少なくとも１つの酸化アルミニウムを含む、酸化アルミニウムナノ繊維と、
を含むナノ繊維充填シリコーン組成物。
【請求項１０】
前記酸化アルミニウムナノ繊維の濃度が、前記ナノ繊維充填シリコーン組成物の総重量に基づいて０．００１〜５０％（重量／重量）である、請求項９に記載のナノ繊維充填シリコーン組成物。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
コアおよびシェルに共通のバインダーポリマーを含有するコア−シェルポリマー粒子であって、該コアが多孔性であり、該シェルが無孔であり、かつ、該粒子の間隙率が１０〜７０パーセントである、コア−シェルポリマー粒子。
【請求項２】
該バインダーポリマーが、ポリエステル；スチレン、モノオレフィン、塩化ビニル、ビニルエステル、メチレン脂肪族モノカルボン酸エステル、ビニルエーテルおよびビニルケトンのポリマーからなる群から選択される、請求項１に記載のコア−シェルポリマー粒子。
【請求項３】
請求項１または２記載のコア−シェルポリマー粒子を含む、コア−シェルトナー粒子。
【請求項４】
顔料、ワックス、形状制御剤および電荷制御剤の少なくとも１種をさらに含有する、請求項３に記載のコア−シェルポリマー粒子。
【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
被験者におけるホジキンリンパ腫の治療において化学療法レジメンと組み合わせて使用するための抗体-薬物複合体を含む医薬組成物であって、前記抗体-薬物複合体がアウリスタチン化合物に複合体化した抗CD30抗体であり、前記化学療法レジメンが(i)ドキソルビシン、ブレオマイシン、ビンブラスチンおよびダカルバジンまたは(ii)ゲムシタビンを含む、上記医薬組成物。
【請求項２】
前記化学療法レジメンがドキソルビシン、ブレオマイシン、ビンブラスチンおよびダカルバジンを含む、請求項1記載の医薬組成物。
【請求項３】
前記抗体-薬物複合体が治療サイクルを通して送達され、治療サイクルを通した総投与量が被験者の体重あたり約0.1mg/kg〜約3.2mg/kgである、請求項2記載の医薬組成物。
【請求項４】
治療サイクルが3週間または4週間である、請求項3記載の医薬組成物。
【請求項５】
前記抗体-薬物複合体を1回につき被験者の体重あたり0.2mg/kg〜1.2mg/kgの用量範囲で投与する、請求項4記載の医薬組成物。
【請求項６】
前記化学療法レジメンがゲムシタビンを含む、請求項1記載の医薬組成物。
【請求項７】
前記抗体-薬物複合体が治療サイクルを通して送達され、治療サイクルを通した総投与量が被験者の体重あたり約0.1mg/kg〜約3.2mg/kgである、請求項6記載の医薬組成物。
【請求項８】
前記抗体-薬物複合体を前記化学療法レジメンと組み合わせて3週間または4週間の治療サイクルの間に使用し、さらなる抗癌剤を使用しない、請求項1〜7のいずれか1項記載の医薬組成物。
【請求項９】
前記被験者が再発性または難治性ホジキンリンパ腫を有する、請求項1〜8のいずれか1項記載の医薬組成物。
【請求項１０】
前記抗体-薬物複合体を2回以上の治療サイクルにわたり投与する、請求項1〜9のいずれか1項記載の医薬組成物。
【請求項１１】
アウリスタチン化合物が細胞内条件下で切断されるリンカーを介して抗CD30抗体に複合体化されており、そのリンカーの切断により細胞内環境においてアウリスタチン化合物が抗体から放出される、請求項1〜10のいずれか1項記載の医薬組成物。
【請求項１２】
前記抗体-薬物複合体が以下の構造：
【化１】
2011500582.tif 000001
(ここで、「mAB-s-」は抗CD30抗体を表し、pは1〜約10である)
を有する、請求項1〜10のいずれか1項記載の医薬組成物。
【請求項１３】
アウリスタチン化合物が細胞内条件下で切断されないリンカーを介して抗CD30抗体に複合体化されており、前記アウリスタチン化合物が抗体の分解により放出される、請求項1〜10のいずれか1項記載の医薬組成物。
【請求項１４】
前記抗体-薬物複合体が以下の構造：
【化２】
2011500582.tif 000002
(ここで、「mAB-s-」は抗CD30抗体を表し、pは1〜約10である)
を有する、請求項1〜10のいずれか1項記載の医薬組成物。
【請求項１５】
前記抗CD30抗体がキメラAC10抗体であるか、またはキメラAC10抗体と結合について競合する、請求項1〜14のいずれか1項記載の医薬組成物。
【請求項１６】
前記抗CD30抗体がキメラAC10抗体である、請求項15記載の医薬組成物。